【手続補正書】
【提出日】平成17年8月10日(2005.8.10)
【手続補正１】
【補正対象書類名】特許請求の範囲
【補正対象項目名】全文
【補正方法】変更
【補正の内容】
【特許請求の範囲】
【請求項１】
装置であって、
光ファイバセグメント上の第１の点と第２の点との間にフォトニックデバイスを備える光ファイバセグメントに取り付け可能なパッケージを備え、前記パッケージが、
前記光ファイバセグメントの前記第１の点に取り付け可能な第１の接合部位と、
前記第１の接合部位が第２の接合部位と前記フォトニックデバイスとの間に位置するように、前記光ファイバに取り付け可能な第２の接合部位と、
前記光ファイバセグメントの前記第２の点に取り付け可能な第３の接合部位と、
前記第３の接合部位が第４の接合部位と前記フォトニックデバイスとの間に位置するように、前記光ファイバに取り付け可能な第４の接合部位と、
を備える装置。
【請求項２】
前記第１の接合部位の寸法は前記第２の接合部位の寸法より小さく、前記第３の接合部位の寸法は前記第４の接合部位の寸法より小さい、請求項１に記載の装置。
【請求項３】
前記第１の接合部位が、前記光ファイバに沿って前記第２の接合部位の幅より狭い幅を有す、請求項１に記載の装置。
【請求項４】
前記第３の接合部位が、前記光ファイバに沿って前記第４の接合部位の幅より狭い幅を有す、請求項３に記載の装置。
【請求項５】
前記フォトニックデバイスがファイバブラッググレーティング（ＦＢＧ）を備える、請求項３に記載の装置。
【請求項６】
それぞれ前記第２および第４の接合部位のそれぞれの近くに形成される第５および第６の接合部位を更に備える、請求項１に記載の装置。
【請求項７】
前記パッケージが第１の材料から形成される第１の部分と、前記第１の部分に取り付けられ、第２の材料から形成される第２の部分とを更に備え、前記第１の材料と前記第２の材料とがそれぞれ異なる熱膨張係数を持つ、請求項１に記載の装置。
【請求項８】
前記第１の接合部位と前記第２の接合部位とが前記第２の部分に結合される、請求項７に記載の装置。
【請求項９】
前記第１の材料とは異なる材料から形成される第３の部分を更に備え、前記第３の部分が前記第１の部分に取り付けられ、前記第１の部分とは異なる熱膨張係数を持つ、請求項７に記載の装置。
【請求項１０】
前記第３の接合部位と前記第４の接合部位とが前記第３の部分に結合される、請求項９に記載の装置。
【請求項１１】
前記第３の部分が前記第２の材料から形成される、請求項９に記載の装置。
【請求項１２】
前記第１の接合部位と前記第２の接合部位との間の距離は、前記第１の接合部位の長さと前記第２の接合部位の長さとの間の中間値である、請求項４に記載の装置。
【請求項１３】
前記第２の部分の一端は、前記パッケージの伝搬軸に沿った前記第１の部分の一方の端の近傍の内部側壁に取り付けられ、前記第３の部分の一端は、前記パッケージの伝搬軸に沿った前記第１の部分の他方の端の近傍の内部側壁に取り付けられており、
温度変化によって前記第１の部分が膨張したときに、前記第２の部分及び前記第３の部分の膨張によって前記第１の接合部位及び前記第２の接合部位の間にある前記光ファイバセグメントの歪を減少させる
請求項１０に記載の装置。
【請求項１４】
前記フォトニックデバイスがファイバブラッググレーティング（ＦＢＧ）を備え、
前記第２の部分が前記第１の部分に取り付けられる点と前記第３の部分が前記第１の部分に取り付けられる点との間の距離、前記第１の接合部位と前記第３の接合部位との間の前記光ファイバセグメントの長さ、前記第２の部分の前記第１の部分への接触点から前記第１の接合部位までの前記光ファイバセグメントの伝搬軸に沿った距離、及び前記第３の部分の前記第１の部分への接触点から前記第３の接合部位までの光ファイバセグメントの伝搬軸に沿った距離は、前記ファイバブラッググレーティングの温度依存の性能変化を補償すべく選択される
請求項１３に記載の装置。
【請求項１５】
方法であって、
光ファイバ上の第１の点と第２の点との間にフォトニックデバイスを備える光ファイバを前記第１の点においてパッケージの第１の接合部位に取り付ける段階と、
前記第１の接合部位が前記フォトニックデバイスと第２の接合部位との間に位置するように、前記光ファイバを前記パッケージの第２の接合部位に取り付ける段階と、
前記光ファイバを前記光ファイバの第２の点で第３の接合部位に取り付ける段階と、
前記第３の接合部位が前記フォトニックデバイスと第４の接合部位との間に位置するように、前記光ファイバを前記パッケージの第４の接合部位に取り付ける段階と、
を備える方法。
【請求項１６】
前記第１の接合部位が、前記光ファイバに沿って前記第２の接合部位の幅より狭い幅を有す、請求項１５に記載の方法。
【請求項１７】
前記第３の接合部位が、前記光ファイバに沿って前記第４の接合部位の幅より狭い幅を有す、請求項１５に記載の方法。
【請求項１８】
前記パッケージが第１の材料から形成される第１の部分と、前記第１の部分に取り付けられ、第２の材料から形成される第２の部分とを更に備え、前記第１の材料と前記第２の材料とがそれぞれ異なる熱膨張係数を持つ、請求項１５に記載の方法。
【請求項１９】
前記第１の接合部位と前記第２の接合部位とが前記第２の部分に結合される、請求項１８に記載の方法。
【請求項２０】
アサーマルパッケージであって、
光ファイバ上の第１の点と第２の点との間にフォトニックデバイスを備える光ファイバを前記光ファイバ上の第１の点で取り付ける第１の手段と、
前記第１の取り付け手段が前記フォトニックデバイスと第２の取り付け手段との間に位置するように、前記光ファイバを前記アサーマルパッケージに取り付ける第２の手段と、
前記光ファイバを前記アサーマルパッケージに取り付ける第３の手段と、
前記第３の取り付け手段が前記フォトニックデバイスと第４の取り付け手段との間に位置するように、前記光ファイバを前記アサーマルパッケージに取り付ける第４の手段と、
を備える、アサーマルパッケージ。
【請求項２１】
前記第１の取り付け手段が、前記光ファイバに沿って前記第２の取り付け手段の幅より狭い幅を有す、請求項２０に記載のアサーマルパッケージ。
【請求項２２】
前記第３の取り付け手段が、前記光ファイバに沿って前記第４の取り付け手段の幅より狭い幅を有す、請求項２０に記載のアサーマルパッケージ。
【請求項２３】
第１の材料から形成される第１の部分と、前記第１の部分に取り付けられ、第２の材料から形成される第２の部分とを更に備え、前記第１の材料と前記第２の材料とがそれぞれ異なる熱膨張係数を持つ、請求項２０に記載のアサーマルパッケージ。
【請求項２４】
前記第１の取り付け手段と前記第２の取り付け手段とが前記第２の部分に結合される、請求項２１に記載のアサーマルパッケージ。
【請求項２５】
システムであって、
光信号源と、
前記光信号源に結合される光ファイバと、
前記光ファイバに結合されるフォトニックデバイスと
を備え、
前記フォトニックデバイスが光ファイバセグメントの第１の点と第２の点との間に実装され、前記第１の点と前記第２の点との間の前記フォトニックデバイスを含む前記光ファイバセグメントにパッケージが取り付けられ、
前記パッケージが、
前記光ファイバセグメントの前記第１の点に取り付けられる第１の接合部位と、
前記第１の接合部位が第２の接合部位と前記フォトニックデバイスとの間に位置するように、前記光ファイバに取り付けられる第２の接合部位と、
前記光ファイバセグメントの前記第２の点に取り付けられる第３の接合部位と、
前記第３の接合部位が第４の接合部位と前記フォトニックデバイスとの間に位置するように、前記光ファイバに取り付けられる第４の接合部位と、
を備える、システム。
【請求項２６】
前記第１の接合部位が、前記光ファイバに沿って前記第２の接合部位の幅より狭い幅を有す、請求項２５に記載のシステム。
【請求項２７】
前記第３の接合部位が、前記光ファイバに沿って前記第４の接合部位の幅より狭い幅を有す、請求項２６に記載のシステム。
【請求項２８】
前記フォトニックデバイスがファイバブラッググレーティング（ＦＢＧ）を備える、請求項２６に記載のシステム。
【請求項２９】
第５および第６の接合部位がそれぞれ第２および第４の接合部位の近くに形成される、請求項２５に記載のシステム。
【請求項３０】
（コメントなし；記載ミス）
前記パッケージが第１の材料から形成される第１の部分と、前記第１の部分に取り付けられ、第２の材料から形成される第２の部分とを更に備え、前記第１の材料と前記第２の材料とがそれぞれ異なる熱膨張係数を持つ、請求項２５に記載のシステム。
【請求項３１】
前記第１の接合部位と前記第２の接合部位とが前記第２の部分に結合される、請求項３０に記載のシステム。
【請求項３２】
前記第１の材料とは異なる材料から形成される第３の部分を更に備え、前記第３の部分が前記第１の部分に取り付けられ、前記第１の部分とは異なる熱膨張係数を持つ、請求項３０に記載のシステム。
【請求項３３】
前記第３の接合部位と前記第４の接合部位とが前記第３の部分に結合される、請求項３２に記載のシステム。
【請求項３４】
前記第３の部分が前記第２の材料から形成される、請求項３２に記載のシステム。
【手続補正２】
【補正対象書類名】明細書
【補正対象項目名】０００３
【補正方法】変更
【補正の内容】
【０００３】
システムによっては、複数のフォトニックデバイスを光ファイバの１つのセグメントに埋め込むこともあれば、複数のフォトニックデバイスにそれぞれ１つの光ファイバセグメントを含めることもある。例えば、１つのブラッググレーティングを光ファイバの１つのセグメントに実装するには、１つの光信号が伝搬されるそのファイバセグメント内に屈折率が周期的に交互に切り替わる領域を複数形成する。この種のブラッググレーティングは、ファイバブラッググレーティング（ＦＢＧ）と一般に呼ばれ、通常、１つの波長選択フィルタとして複数の光ファイバ通信システムで使用されている。例えば、このＦＢＧを使用して、１つの特定の波長（ブラッグ波長として公知の波長）を除去することができる。ブラッグ波長は、光ファイバセグメントの平均または有効屈折率と、屈折率が交互に切り替わる複数の領域のグレーティング間の距離（すなわち時間）とに応じて異なる。周知のように、１つのＦＢＧのブラッグ波長は、このＦＢＧを備えるファイバセグメント上の歪と温度とに応じて異なる。なお、本出願の国際調査、又は対応米国出願の米国での審査において、下記の特許文献及び非特許文献が発見されている。
【特許文献１】国際公開第０１／２８８６号パンフレット
【特許文献２】国際公開第０１／６１３８６号パンフレット
【特許文献３】米国特許第５０４２８９８号明細書
【特許文献４】米国特許第５６９４５０３号明細書
【特許文献５】米国特許第６０５５３４８号明細書
【特許文献６】米国特許第６１２２４３０号明細書
【特許文献７】米国特許第６２３３３８２号明細書
【特許文献８】米国特許第６２４３５２７号明細書
【特許文献９】米国特許第６３７７７２７号明細書
【特許文献１０】米国特許第６４５３１０８号明細書
【特許文献１１】米国特許第６４７７２９９号明細書
【特許文献１２】米国特許出願公開第２００２／２８０４９号明細書
【手続補正３】
【補正対象書類名】明細書
【補正対象項目名】００２９
【補正方法】変更
【補正の内容】
【００２９】
上記の詳細説明に照らして、このような複数の修正を本発明の複数の実施形態に行うことができる。添付の特許請求の範囲で使用されている用語は、本発明の範囲を添付の特許請求の範囲および本願明細書に開示されている具体的な複数の実施形態だけに限定するものと解釈されるべきではない。むしろ、本発明の範囲は、確立された請求項解釈原則に従って解釈されるべきである添付の特許請求の範囲によってすべて決定されるべきである。なお、前記第１の接合部位は、前記光ファイバに沿って前記第２の接合部位の幅より狭い幅を有す。また、前記第３の接合部位は、前記光ファイバに沿って前記第４の接合部位の幅より狭い幅を有する。また、前記パッケージが第１の材料から形成される第１の部分と、前記第１の部分に取り付けられ、第２の材料から形成される第２の部分とを更に備え、前記第１の材料と前記第２の材料とがそれぞれ異なる熱膨張係数を持つ。また、前記第１の材料とは異なる材料から形成される第３の部分を更に備え、前記第３の部分が前記第１の部分に取り付けられ、前記第１の部分とは異なる熱膨張係数を持つ。なお、方法は、光ファイバ上の第１の点と第２の点との間にフォトニックデバイスを備える光ファイバを前記第１の点においてパッケージの第１の接合部位に取り付ける段階と、前記第１の接合部位が前記フォトニックデバイスと第２の接合部位との間に位置するように、前記光ファイバを前記パッケージの第２の接合部位に取り付ける段階と、前記光ファイバを前記光ファイバの第２の点で第３の接合部位に取り付ける段階と、前記第３の接合部位が前記フォトニックデバイスと第４の接合部位との間に位置するように、前記光ファイバを前記パッケージの第４の接合部位に取り付ける段階とを備える。また、前記第１の接合部位が、前記光ファイバに沿って前記第２の接合部位の幅より狭い幅を有する。また、前記第３の接合部位が、前記光ファイバに沿って前記第４の接合部位の幅より狭い幅を有する。また、前記パッケージが第１の材料から形成される第１の部分と、前記第１の部分に取り付けられ、第２の材料から形成される第２の部分とを更に備え、前記第１の材料と前記第２の材料とがそれぞれ異なる熱膨張係数を持つ。前記第１の接合部位と前記第２の接合部位とが前記第２の部分に結合される。